(57)【要約】【課題】            歯科用インプレッションコンパウンドを用いた筋圧形成において、術者に高い技能を要求することなく、迅速に筋圧形成をすることができるコンパウンド押出器、コンパウンドモデリングセット、ヒータ付きコンパウンド押出器を提供する。【解決手段】        本発明に係るコンパウンド押出器は、筋圧形成を行うためのコンパウンドが充填されるシリンダと、該シリンダ内に挿入され、軟化したコンパウンドを押し出すピストンとからなり、前記シリンダに軟化したコンパウンド押出用のノズルが設けられている。そして、ノズルは、軟化したコンパウンドが押し出される断面積15〜150mm2の押出孔を有するのがよい。【選択図】          図１
2007037808.tif 000002
【特許請求の範囲】
【請求項１】
筋圧形成を行うためのコンパウンドが充填されるシリンダと、該シリンダ内に挿入され、軟化したコンパウンドを押し出すピストンとからなり、前記シリンダに軟化したコンパウンド押出用のノズルが設けられているコンパウンド押出器。
【請求項２】
ノズルは、軟化したコンパウンドが押し出される断面積15〜150mm2の押出孔を有することを特徴とする請求項１に記載のコンパウンド押出器。
【請求項３】
シリンダは、5ml以上のコンパウンド充填容積を有するものであることを特徴とする請求項１又は２に記載のコンパウンド押出器。
【請求項４】
請求項１〜３のいずれかに記載のコンパウンド押出器に充填されるコンパウンド。
【請求項５】
請求項４に記載のコンパウンドが充填されたコンパウンド押出器。
【請求項６】
請求項４に記載のコンパウンドが充填されたコンパウンド押出器と、恒温槽とからなるコンパウンド用筋圧形成装置。
【請求項７】
請求項１〜３のいずれかに記載のコンパウンド押出器と、恒温槽とからなるコンパウンド用筋圧形成装置。
【請求項８】
筋圧形成を行うためのコンパウンドが充填されるシリンダと、該シリンダ内に挿入され、軟化したコンパウンドを押し出すピストンと、前記シリンダ内を所定温度に加温するヒータとからなる本体と、
コンパウンド充填用の取外キャップを有し、
前記シリンダに軟化したコンパウンド押出用のノズルが設けられているヒータ付きコンパウンド押出器。
【発明の詳細な説明】
【技術分野】
【０００１】
歯科用インプレッションコンパウンド（以下コンパウンドという）を用いて印象及び筋圧形成を行うためのコンパウンド押出器、コンパウンド用筋圧形成装置、ヒータ付きコンパウンド押出器に関する。
【背景技術】
【０００２】
患者の口腔にあった適合性の良い義歯を作るためにはその患者の口唇、頬、舌の動きに調和した義歯床の辺縁形態を得る必要がある。このため、先ず既成トレーを用いた概形印象採得を行い、次に個人トレーを用いて患者自身による下顎、口唇、頬、舌の運動や、術者の手指による口唇や頬のマッサージなどの操作によって、その患者の口腔中の動く部分と動かない部分の境目を決定する筋圧形成が行われる。
【０００３】
この筋圧形成はコンパウンドを用いてなされる。例えば、図５に示すようにアルコールトーチ60を用いて外径8mm程度の棒状に固形化された棒状コンパウンド55を適度に軟化させ、図６に示すように個人トレー50の外縁部に付着し盛り付けた後、それを患者の口腔に挿入して上記の筋圧形成を行う。一般に、上記一連の操作は時間がかかるため個人トレーの各部分ごとに数回に分けて行われる。
【０００４】
このように筋圧形成は、コンパウンドを付着させ盛り付けた個人トレーを患者の口腔内に挿入して行われるものであるから、コンパウンドは個人トレーに付着しやすく脱落せず、また、筋圧形成時には患者の口腔内の動きに滑らかに追随して口腔中の形態を再現するとともに、筋圧形成後には再現された形態が固定化されるものでなければならない。
【０００５】
すなわち、コンパウンドは、ある程度の時間中は流動性を有するとともにその流動した形を保つような腰の強いものでなければならず、筋圧形成が終わると堅く固形化するものでなければならない。このようにコンパウンドは軟化した状態において、寒天やパラフィンワックス等、軟化・流動化した状態では非常に粘性が低いものと異なるから、例えば、特許文献１に開示されたシリンジのようなものは使用できない。一方、コンパウンドは、常温では堅い固形物であるからそのもの自体の取り扱い・保管等は棒状の物が便利で安価に供給できるという実態がある。このようなことから、コンパウンドを用いた筋圧形成には従来より上記図５〜６に説明した方法・装置が使用されている。
【０００６】
【特許文献１】特許第3013087号
【発明の開示】
【発明が解決しようとする課題】
【０００７】
しかしながら、従来の方法による筋圧形成においては、コンパウンドの一定量を均一に軟化させるのは容易でなく、特に、個人トレーにコンパウンドを均一に付着させ盛り付けることは容易ではない。このため、術者に非常に高い技能を要求するとともに、筋圧形成に長時間を要するという問題があった。
【０００８】
本発明は係る従来の問題点に鑑み、コンパウンドを用いた筋圧形成において、術者に高い技能を要求することなく、迅速に筋圧形成をすることができるコンパウンド押出器、コンパウンド用筋圧形成装置、ヒータ付きコンパウンド押出器を提供することを目的とする。
【０００９】
本発明に係るコンパウンド押出器は、筋圧形成を行うためのコンパウンドが充填されるシリンダと、該シリンダ内に挿入され、軟化したコンパウンドを押し出すピストンとからなり、前記シリンダに軟化したコンパウンド押出用のノズルが設けられている。
【００１０】
上記コンパウンド押出器において、ノズルは軟化したコンパウンドが押し出される断面積15〜150mm2の押出孔を有するのがよく、シリンダは5ml以上のコンパウンド充填容積を有するものであるのがよい。
【００１１】
上記発明においては、上記コンパウンド押出器に好適に使用することができるコンパウンドを予め準備することにより、また、そのようなコンパウンドを充填したコンパウンド押出器を予め準備することにより一層筋圧形成作業を効率的に行うことができる。さらに、予めコンパウンドが充填されたコンパウンド押出器を常時最適な温度に保持することができる恒温槽を設けることによって筋圧形成作業の効率を向上させることができる。
【００１２】
また、コンパウンドを用いた筋圧形成作業は、筋圧形成を行うためのコンパウンドが充填されるシリンダと、該シリンダ内に挿入され、軟化したコンパウンドを押し出すピストンと、前記シリンダ内を所定温度に加温するヒータとからなる本体と、コンパウンド充填用の取外キャップを有し、前記シリンダに軟化したコンパウンド押出用のノズルが設けられているヒータ付きコンパウンド押出器を使用することによっても効率的に行うことができる。
【発明の効果】
【００１３】
本発明によるコンパウンド押出器は、コンパウンドを用いて筋圧形成する場合に、術者に高い技能を要求することなく、迅速に筋圧形成をすることができる。そして、本発明に係るコンパウンド用筋圧形成装置、ヒータ付きコンパウンド押出器を使用することによって効率的に筋圧形成作業を行うことができる。
【発明を実施するための最良の形態】
【００１４】
本発明に係るコンパウンド押出器の実施の形態を図面を基に以下に説明する。図１〜２は、本発明に係るコンパウンド押出器の一実施例であり、図１は本コンパウンド押出器の全体を示す斜視図、図２は軟化したコンパウンドが押し出される押出孔の形状を示す拡大図である。
【００１５】
図１に示すように、本コンパウンド押出器10は、コンパウンドが充填されるシリンダ11と、該シリンダ内に挿入され、軟化したコンパウンドを押し出すピストン13とを有し、そして、シリンダ11にコンパウンド押出用のノズル12が設けられている。コンパウンドは、ノズル12の押出孔15から押し出される。なお、防塵等のためキャップ18を設けることができる。
【００１６】
シリンダ11及びピストン13は公知のものを使用することができる。例えば、公知の合成樹脂製、ガラス製あるいはステンレス等の金属製のシリンダ又はピストンを使用することができる。
【００１７】
本発明に係るコンパウンド押出器10は、上述のように、コンパウンドを個人トレーに付着させ盛り付ける作業が円滑にできるように、軟化させたコンパウンドを適度にしかも円滑に押し出すことができるノズル12を有する。すなわち、シリンダ11の内径よりは小さいが、従来の物より相当に大きい内径を有するノズル12と、そのノズル12に設けた押出孔15とを有する。
【００１８】
この押出孔15の断面積の大きさの程度が重要である。軟化させたコンパウンドを適度にしかも円滑に押し出すには、押出孔15の断面積は、15〜150mm2とするのがよい。押出孔15の断面積が15mm2以下であると、コンパウンドを容易に押し出すことができなくなる。一方、押出孔15の断面積が150mm2を超えると、多量に押し出されるため個人トレーに付着させるコンパウンドの量を必要に応じて調整するのが難しくなる。
【００１９】
押出孔15の形状は特に問わない。図２に示すように、図２（a）、（b）に示す円形断面形状や図２（c）に示す滴状断面形状のものとすることができる。また、星形断面形状とすることもでき、さらに、必要に応じて他の形態を採用することもできる。しかしながら、図１に示す矩形断面形状のものは個人トレーに付着させるコンパウンドの付着面積を調節しやすいという利点を有する。
【００２０】
また、本発明においてシリンダ11は、5〜10mlのコンパウンドを充填することができる内容積を有するものがよい。この量は、少なくとも従来の棒状コンパウンドを一本以上二本程度充填することができる量であり、コンパウンドを個人トレーに付着盛り付ける間の温度低下を防止することができ、また、筋圧形成するのに十分な量を確保することができる。なお、シリンダ11の内容積の上限は必ずしも10mlに限定する必要はない。筋圧形成に必要な量、作業量等に応じて決めればよい。
【００２１】
以上本コンパウンド押出器10について説明した。しがしながら、本発明に係るコンパウンド押出器は上記実施例に限らない。例えば、図１において、ノズル12は、シリンダ11と一体に形成されているが、ノズル12とシリンダ11とが螺合して一体に結合される構造にすることができる。この場合は、作業性に応じたノズルを付け替えて使用することができる利点がある。
【００２２】
また、本発明は、上記コンパウンド押出器を用いた器具・装置によりさらに筋圧形成作業を容易にすることができる。すなわち、上述のように本コンパウンド押出器10は、従来の棒状のコンパウンドを一本以上充填することができ、これにより筋圧形成作業の効率を向上させることができる。このために、当該発明に係る製品を生産する工場等において、当該コンパウンド押出器に適したコンパウンドを製造しておき、また、当該コンパウンドを充填したコンパウンド押出器を製造しておき、包装工程を経て製品化した後、出荷するものである。この場合、コンパウンドの形状は、外径12〜16mm、長さ60〜100mmの棒状にするのがよい。
【００２３】
さらに、歯科医院等の歯科治療現場においては、本コンパウンド押出器10を用いて筋圧形成作業をするに当たって、コンパウンドを軟化させ直ちに使用に供することができるように、コンパウンド押出器10に充填されたコンパウンドを加温する恒温槽を予め準備するのがよい。これによって、筋圧形成作業をより効率的に行うことができる。恒温槽は、コンパウンドの軟化点が一般に50〜60°であるから、そのコンパウンドの軟化点以上に加温し所定温度に温度制御できるものであればよい。なお、コンパウンドが充填されたコンパウンド押出器は、98℃の熱湯に約2分間浸したのち筋圧形成作業に供することができる。
【００２４】
図３に、コンパウンドが充填されたコンパウンド押出器20と、恒温槽25からなるコンパウンド用筋圧形成装置30の例を示す。この例では、コンパウンドが充填されたコンパウンド押出器20を複数本同時に使用可能状態にすることができ、一度に多くの筋圧形成のためのコンパウンドの軟化をすることができる。なお、本コンパウンド押出器10に好適に使用することができるコンパウンドが予め入手できるような場合は、コンパウンド押出器10と恒温槽25からコンパウンド用筋圧形成装置30を構成することができる。
【００２５】
また、筋圧形成のためのコンパウンドの軟化は、図４に示すヒータ付きコンパウンド押出器40により効率的に行うことができる。図４（a）及び（b）に例示したヒータ付きコンパウンド押出器40は、市販の棒状コンパウンドを充填して筋圧形成のためのコンパウンドの軟化及び個人トレーへの付着・盛り付けをすることができる。すなわち、本ヒータ付きコンパウンド押出器40は、筋圧形成を行うためのコンパウンドが充填されるシリンダ11と、該シリンダ内に挿入され、軟化したコンパウンドを押し出すピストン13と、前記シリンダ内を所定温度に加温するヒータ45とからなる本体41と、コンパウンド充填用の取外キャップ43を有し、シリンダ11には軟化したコンパウンド押出用のノズル12が設けられている。
【００２６】
市販の棒状のコンパウンドは、取外キャップ43の脱着により本体41のシリンダ11に充填することができる。ヒータ45の加温により軟化したコンパウンドは、ピストン13に連結されたレバー46を押し込むことによってノズル12から押し出すことができる。なお、図４（a）に示すように、本体11に握り42を設けることができる。
【００２７】
なお、図４は、市販の棒状コンパウンドを使用するヒータ付きコンパウンド押出器40の例を示したが、上述の外径12〜16mm、長さ60〜100mmの棒状のコンパウンドを使用することができる同様な構成のヒータ付きコンパウンド押出器40を構成することができる。
【図面の簡単な説明】
【００２８】
【図１】本発明に係るコンパウンド押出器の斜視図である。
【図２】図１の押出孔部の各種形状を示す拡大図である。
【図３】本発明に係るコンパウンド用筋圧形成装置の斜視図である。
【図４】他の実施例のコンパウンド用筋圧形成装置の斜視図である。
【図５】従来のアルコールトーチと棒状コンパウンドを示す斜視図である。
【図６】個人用トレーにコンパウンドを付着し盛り付けた状態を示す斜視図である。
【符号の説明】
【００２９】
10    コンパウンド押出器
11    シリンダ
12    ノズル
13    ピストン
15    押出孔
18    キャップ
20    コンパウンドが充填されたコンパウンド押出器
25    恒温槽
30    コンパウンド用筋圧形成装置
40    ヒータ付きコンパウンド押出器
41    本体
42    握り
43    取外キャップ
45    ヒータ
46    レバー
50    個人トレー
55    棒状コンパウンド
60    アルコールトーチ
【図１】
2007037808.tif 000003
【図２】
2007037808.tif 000004
【図３】
2007037808.tif 000005
【図４】
2007037808.tif 000006
【図５】
2007037808.tif 000007
【図６】
2007037808.tif 000008